(57)【要約】【課題】スピーカと光源とを内蔵する光源装置の音質と照明としての品質を両立し、特にグローブ頭頂部の中心領域の輝度を向上させる光源装置を提供する。【解決手段】グローブ２２には光源３及びスピーカ４を備える。スピーカ４は、グローブ２２の頭頂部２２ａ寄りに配置される。光源３は、スピーカ４の周囲又はスピーカ後方に配置される。この光源装置１において、グローブ２２の頭頂部２２ａは、光線屈曲部と光線拡散部を備える。光線屈曲部は、グローブ２２の頭頂部２２ａの周端領域に形成され、入射光を頭頂部２２ａの中心領域方向に屈曲させる。光線拡散部は、頭頂部２２ａの中心領域に形成され、光線屈曲部からの反射光を乱反射させて、スピーカ４の前面で拡散放射する。【選択図】図６
2017126541.tif 000002
【特許請求の範囲】
【請求項１】
口金を介して電力供給を受ける光源装置であって、
光の透過性を有するグローブと、
前記グローブ内に収容され、当該グローブの頭頂部寄りに配置され、前記グローブの内径よりも小径なスピーカと、
前記グローブ内に収容され、前記スピーカの周囲又は前記スピーカよりも前記頭頂部から離れたスピーカ後方に配置される光源と、
を備え、
前記グローブの頭頂部は、
前記スピーカの脇を通過又は当該脇より出射して当該頭頂部に入射した光線を、前記スピーカの前面に向けて屈曲させる光線屈曲部と、
前記スピーカの前面領域に形成され、前記光線屈曲部より到達する反射光を乱反射させて、前記スピーカの前面で拡散放射する光線拡散部と、
を備えること、
を特徴とする光源装置。
【請求項２】
前記グローブの頭頂部は、
前記頭頂部の中心から放射状に拡がり、前記グローブの周壁に垂れ下がる複数本のアーチと、
前記スピーカに臨む前記アーチの背面のうち、前記スピーカの前面に相当する範囲の全部又は一部に形成され、前記光線拡散部となる刻み溝と、
前記アーチの外表面のうち、前記スピーカの脇を通過又は当該脇より出射して前記頭頂部に入射する光線が到達する範囲の全部又は一部に形成され、当該外表面への入射光の一部を前記刻み溝へ向けて反射させる角度で傾斜し、前記光線屈曲部となる傾斜面と、
を備えること、
を特徴とする請求項１記載の光源装置。
【請求項３】
前記アーチの足裏面のうち、前記スピーカの脇を通過又は当該脇より出射して前記頭頂部に入射する光線の入射入口に相当する位置に形成され、入射光を前記傾斜面の全域に発散させる拡散レンズを更に備えること、
を特徴とする請求項２記載の光源装置。
【請求項４】
前記アーチは、前記スピーカの前面で前記スピーカを横断する保護バーであり、
前記アーチ間は、前記スピーカと外部とを連通させる放音孔であること、
を特徴とする請求項２又は３記載の記載の光源装置。
【請求項５】
周縁を除いて頭頂部が開口するグローブの当該開口から、前記グローブの内径よりも小径なスピーカが露出するスピーカ付きの光源装置に装着される導光板アタッチメントであって、
放射中心から前記開口よりも拡径して成り、
周端部に形成され、当該周端部への入射光を部材内部で放射中心方向へ屈曲させる光線屈曲部と、
前記放射中心を含む領域に形成され、前記光線屈曲部からの光線を乱反射させて、前記放射中心を含む領域から部材外部へ拡散放射する光線拡散部と、
を備え、
前記スピーカ付きの光源装置の前記開口を覆うように被せられ、
前記光線屈曲部は、前記開口に被せられた状態で、前記スピーカの脇を通過又は当該脇より出射する光線の光路上に位置し、前記スピーカの前面に光線を反射させ、
前記光線拡散部は、前記開口に被せられた状態で、前記スピーカの前面に位置し、前記光線屈曲部からの反射光を前記スピーカの前面で乱反射させること、
を特徴とする導光板アタッチメント。
【請求項６】
前記放射中心から拡がり、前記グローブの周壁に垂れ下がり可能な長さを有する複数本のアーチにより成り、
前記光線拡散部は、前記開口に被せられた状態で、前記スピーカに臨む前記アーチの背面のうち、前記スピーカの前面に相当する範囲の全部又は一部に形成される複数の刻み溝であり、
前記光線屈曲部は、前記開口に被せられた状態で、前記アーチの外表面のうち、前記スピーカの脇を通過又は当該脇より出射した光線が到達する範囲の全部又は一部に形成され、当該外表面へ到達する光線の一部を前記刻み溝へ向けて反射させる角度で傾斜する傾斜面であること、
を特徴とする請求項５記載の導光板アタッチメント。
【請求項７】
前記アーチの足裏面のうち、前記開口に被せられた状態で、前記スピーカの脇を通過又は当該脇より出射した光線の入射入口に相当する位置に形成され、入射光を前記傾斜面の全域に発散させる拡散レンズを更に備えること、
を特徴とする請求項６記載の導光板アタッチメント。
【請求項８】
前記アーチは、前記スピーカの前面で前記スピーカを横断する保護バーであり、
前記アーチ間は、前記スピーカと外部とを連通させる放音孔であること、
を特徴とする請求項６又は７記載の導光板アタッチメント。
【発明の詳細な説明】
【技術分野】
【０００１】
本発明は、口金を有しスピーカを内蔵する光源装置、及びこの光源装置に着脱自在の導光板アタッチメントに関する。
【背景技術】
【０００２】
一般の白熱電球用のソケットに装着可能な電球型の光源装置がある。近年、グローブ内部に光源のみならずスピーカを収容した光源装置が提案されている（例えば特許文献１参照）。この光源装置は、ブルートゥース等の無線規格に従ってオーディオ信号を受信し、照明効果のみならず、音楽や音声の放音を可能とする。
【０００３】
スピーカが放出した音波信号がグローブ内部に篭ったり、グローブの内周面で反射を繰り返して減衰してしまうと、スピーカの音質が劣化してしまう。スピーカの音質を向上させるためには、スピーカはグローブの頭頂部寄りに配置することが望ましい。また、スピーカの音質を向上させるためには、スピーカの前面に音波の遮蔽物を存在させず、スピーカから直接グローブの外部へ放音させることが望ましい。
【０００４】
そのため、スピーカの周りにＬＥＤをリング状に配置することで、スピーカとＬＥＤを同一平面上に並べ、スピーカの前面にＬＥＤが被らないように措置した光源装置が提案されている（例えば特許文献１参照）。また、スピーカをグローブの頭頂部に設置し、ＬＥＤを頭頂部から離れたスピーカ後方に設置する光源装置も提案されている（例えば特許文献２参照）。
【０００５】
また、これら光源装置は、グローブの頭頂部を周壁を除いて開口させ、すなわち、スピーカの前面にグローブを延在させず、スピーカの前面を完全に開放することで、スピーカの前面から音波の障害物を取り除いている。
【先行技術文献】
【特許文献】
【０００６】
【特許文献１】特開２００８−１９３１８９号公報
【特許文献２】特開２０１０−０５６０５９号公報
【発明の概要】
【発明が解決しようとする課題】
【０００７】
スピーカの周りにＬＥＤをリング状に配置すると、グローブの頭頂部の中心領域に光源が無いことになり、グローブの頭頂部の中心領域の輝度が低下してしまう。また、スピーカの後方にＬＥＤを配置すると、スピーカによって光路が遮られる領域が発生し、スピーカの前面には光線が届かず、グローブの頭頂部の中心領域の輝度が低下してしまう。
【０００８】
そのため、これら光源装置の頭頂部から出射する光線は、中心領域が暗く、周端領域が明るい環状の模様を形成してしまい、これら光源装置に斑のある配光特性を与えてしまうため、これら光源装置の照明としての品質が低下してしまう。特に、光源としてＬＥＤを利用する場合には、ＬＥＤの指向性により、照明としての品質低下が顕著である。
【０００９】
本発明は、上記のような従来技術の問題点を解決するために成されたものであり、その目的は、スピーカと光源とを内蔵する光源装置の音質と照明としての品質を両立し、特にグローブ頭頂部の中心領域の輝度を向上させる光源装置を提供することにある。
【課題を解決するための手段】
【００１０】
上記の目的を達成するために、本発明の光源装置は、口金を介して電力供給を受ける光源装置であって、光の透過性を有するグローブと、前記グローブ内に収容され、当該グローブの頭頂部寄りに配置され、前記グローブの内径よりも小径なスピーカと、前記グローブ内に収容され、前記スピーカの周囲又は前記スピーカよりも前記頭頂部から離れたスピーカ後方に配置される光源と、を備え、前記グローブの頭頂部は、前記スピーカの脇を通過又は当該脇より出射して当該頭頂部に入射する光線を、前記スピーカの前面に向けて屈曲させる光線屈曲部と、前記スピーカの前面領域に形成され、前記光線屈曲部より到達する反射光を乱反射させて、前記スピーカの前面で拡散放射する光線拡散部と、を備えること、を特徴とする。
【００１１】
前記グローブの頭頂部は、前記頭頂部の中心から放射状に拡がり、前記グローブの周壁に垂れ下がる複数本のアーチと、前記スピーカに臨む前記アーチの背面のうち、前記スピーカの前面に相当する範囲の全部又は一部に形成され、前記光線拡散部となる刻み溝と、前記アーチの外表面のうち、前記スピーカの脇を通過又は当該脇より出射して前記頭頂部に入射する光線が到達する範囲の全部又は一部に形成され、当該外表面への入射光の一部を前記刻み溝へ向けて反射させる角度で傾斜し、前記光線屈曲部となる傾斜面と、を備えるようにしてもよい。
【００１２】
前記アーチの足裏面のうち、前記スピーカの脇を通過又は当該脇より出射して前記頭頂部に入射する光線の入射入口に相当する位置に形成され、入射光を前記傾斜面の全域に発散させる拡散レンズを更に備えるようにしてもよい。
【００１３】
また、上記の目的を達成するために、本発明の導光板アタッチメントは、周縁を除いて頭頂部が開口するグローブの当該開口から、前記グローブの内径よりも小径なスピーカが露出するスピーカ付きの光源装置に装着される導光板アタッチメントであって、放射中心から前記開口よりも拡径して成り、周端部に形成され、当該周端部への入射光を部材内部で放射中心方向へ屈曲させる光線屈曲部と、前記放射中心を含む領域に形成され、前記光線屈曲部からの光線を乱反射させて、前記放射中心を含む領域から部材外部へ拡散放射する光線拡散部と、を備え、前記スピーカ付きの光源装置の前記開口を覆うように被せられ、前記光線屈曲部は、前記開口に被せられた状態で、前記スピーカの脇を通過又は当該脇より出射する光線の光路上に位置し、前記スピーカの前面に光線を反射させ、前記光線拡散部は、前記開口に被せられた状態で、前記スピーカの前面に位置し、前記光線屈曲部からの反射光を前記スピーカの前面で乱反射させること、を特徴とする。
【００１４】
前記放射中心から拡がり、前記グローブの周壁に垂れ下がり可能な長さを有する複数本のアーチにより成り、前記光線拡散部は、前記開口に被せられた状態で、前記スピーカに臨む前記アーチの背面のうち、前記スピーカの前面に相当する範囲の全部又は一部に形成される複数の刻み溝であり、前記光線屈曲部は、前記開口に被せられた状態で、前記アーチの外表面のうち、前記スピーカの脇を通過又は当該脇より出射した光線が到達する範囲の全部又は一部に形成され、当該外表面へ到達する光線の一部を前記刻み溝へ向けて反射させる角度で傾斜する傾斜面であるようにしてもよい。
【００１５】
前記アーチの足裏面のうち、前記開口に被せられた状態で、前記スピーカの脇を通過又は当該脇より出射した光線の入射入口に相当する位置に形成され、入射光を前記傾斜面の全域に発散させる拡散レンズを更に備えるようにしてもよい。
【００１６】
前記アーチは、前記スピーカの前面で前記スピーカを横断する保護バーであり、前記アーチ間は、前記スピーカと外部とを連通させる放音孔であるようにしてもよい。
【発明の効果】
【００１７】
本発明によれば、スピーカをグローブの頭頂部寄りに配置し、光源をスピーカの周囲又は後方に配置しても、グローブの頭頂部の中心領域の輝度が向上し、頭頂部を斑無く光らせることができるため、スピーカの音質と照明の品質を両立できる。
【図面の簡単な説明】
【００１８】
【図１】第１の実施形態に係る光源装置の概略構成を示す斜視図である。
【図２】第１の実施形態に係る光源装置の概略構成を示す断面図である。
【図３】第１の実施形態に係る光源装置の電気的構成を示すブロック図である。
【図４】第１の実施形態に係るグローブの頭頂部の上面図である。
【図５】第１の実施形態に係るグローブの頭頂部の断面図である。
【図６】第１の実施形態に係るグローブの頭頂部内部に形成される光路を示す模式図である。
【図７】第２の実施形態に係る光源装置の概略構成を示す断面図である。
【図８】第３の実施形態に係る光源装置と導光板アタッチメントの構成を示す斜視図である。
【発明を実施するための形態】
【００１９】
（第１の実施形態）
図１は、第１の実施形態に係る光源装置の概略構成を示す斜視図であり、図２は、第１の実施形態に係る光源装置の断面図である。光源装置１は、一般の白熱電球用のソケットに装着可能な口金２３を有し、典型的には電球型である。この光源装置１は、光源３とスピーカ４を内蔵し、照明機能及び放音機能を有する。スピーカ４からは、無線により受信した音楽や音声を放音する。光源装置１は、筐体２１にグローブ２２を被せて一体化した外形を有する。光源３とスピーカ４は、筐体２１とグローブ２２により画成された内部空間に配置される。
【００２０】
筐体２１は光源装置１のベースである。筐体２１は、円筒形状を有し、一方の末端部が尻窄みし、他端が開口する。口金２３は筐体２１の尻窄みした末端部に固定されている。この筐体２１は、熱伝導性を有する金属や樹脂やセラミックにより形成されることが望ましい。熱伝導性の金属は、例えばアルミニウム、熱伝導性の樹脂は、例えばカーボンナノチューブ等の炭素繊維である。
【００２１】
グローブ２２は、光源３とスピーカ４を覆う保護カバーである。グローブ２２は、全体として円筒形状を有し、一端面が周壁を除いて大きく開口している。グローブ２２の開口縁面と筐体２１の開口縁面を合わせ、互いの中心軸を一致させることで、グローブ２２は筐体２１に取り付けられる。このグローブ２２は、筐体２１と合わせられる開口端面とは反対の端面である頭頂部２２ａが椀形状に膨出している。
【００２２】
このグローブ２２は透過性材料により形成される。透過性材料は、例えばガラス、アクリル又はポリカーボネートである。グローブ２２の周面には、ブラスト加工やコーディングにより透光性が付与されている。グローブ２２の頭頂部２２ａは、ブラスト加工やコーディングがされずに透明のままとなっている。
【００２３】
スピーカ４は、電気信号を物理的振動により音波信号に変換する装置であり、例えばダイナミック型である。このスピーカ４は、グローブ２２の内径より小径なコーン型、ドーム型の形状を有する。このスピーカ４は、拡径中心をグローブ２２及び筐体２１の共通な中心軸に合わせて配置される。また、このスピーカ４は、グローブ２２の頭頂部２２ａ寄りに配置され、音波信号の放音面を頭頂部２２ａに向ける。
【００２４】
光源３は、ＬＥＤ（Light Emitting Diode）素子又はＥＬ（Electro Luminescence）素子等の発光素子により成る。発光素子は、白色光又は白色光以外の単色若しくは複数色を発光する。この光源３は、スピーカ４から離間して口金２３寄りに配置され、スピーカ４よりもグローブ２２の頭頂部２２ａから遠いスピーカ後方に位置する。この光源３は、グローブ２２及び筐体２１の共通な中心軸周りに、グローブ２２又は筐体２１の内周面に沿ってリング状に設置されればよい。
【００２５】
図３は、光源装置１の電気的構成を示すブロック図である。図３に示すように、光源装置１には、光源３とスピーカ４に電力を供給し、光源３とスピーカ４を制御する制御基板５が設けられる。制御基板５は、筐体２１とグローブ２２で画成される内部空間に収容されている。この制御基板５は、電源５１、オーディオ制御部５２、光源制御部５３を備えている。
【００２６】
電源回路５１は、口金２３を介して外部商用電源から電力を受け、整流及び平滑化によりＡＣ／ＤＣ変換を行い、ＤＣ／ＤＣ変換によりオーディオ制御部５２及び光源制御部５３に駆動電力を供給する。オーディオ制御部５２は、アンテナ又は赤外線受光部によりブルートゥース、ＷｉＦｉ、ＺｉｇＢｅｅ、無線ＬＡＮ又は赤外線等の無線通信規格経由でオーディオ信号を受信し、オーディオ信号を復調、アナログ変換、増幅等してスピーカ４へ出力する。光源制御部５３は、光源３の点灯、消灯、調光、調色を制御しつつ、光源３に電力を供給する。
【００２７】
図４及び５に基づき、グローブ２２の頭頂部２２ａの形状を詳細に説明する。図４は、頭頂部２２ａの上面図であり、図５は頭頂部２２ａの断面図である。頭頂部２２ａは、透明な複数本のアーチ７１により成る。アーチ７１は、椀形状が始まる裾野部分を基端としてグローブ２２の頂点で集合する。換言すると、アーチ７１は、グローブ２２の頂点から放射状に延びてグローブ２２の周壁に垂れ下がって至る。頭頂部２２ａをアーチ７１により構成する態様によれば、アーチ７１間は、スピーカ４と外部とを連通させる開口７１ａとなる。
【００２８】
アーチ７１は、頭頂部２２ａ側に配置されたスピーカ４を横断する保護バーとなる。アーチ７１間の開口７１ａは、スピーカ４が発する音波の指向性を拡げる放音孔となる。アーチ７１の集合中心にもグローブ２２のスピーカ４と通じる開口７１ａが形成されると良く、この開口７１ａも放音孔となる。例えば、グローブ２２の頭頂部２２ａは、等配位置で延びる６本のアーチ７１により構成され、アーチ７１間に６個の開口７１ａとグローブ２２の頂点に１個の開口７１ａを放音孔として備える。
【００２９】
各アーチ７１の基端部７４は、グローブ２２の周壁の厚みよりも長い足裏面７４ａを有し、グローブ２２の周壁から中心軸方向にはみ出している。この長い足裏面７４ａを有する基端部７４の真下にはスピーカ４が延在しておらず、基端部７４は、光源３からグローブ２２の周壁とスピーカ４の間を通過した光線が頭頂部２２ａに届く領域Ｋに重なる。そのため、基端部７４は、光線が頭頂部２２ａの部材内部へ入る入光部となる。この基端部７４は、入射入口となる足裏面７４ａに、光源３側へ膨出する湾状部７５を有する。
【００３０】
基端部７４の外表面７６は、頭頂部２２ａの椀外表面の裾野部分に相当する。この外表面７６には、スピーカ４の脇を通り抜けて湾状部７５を介して基端部７４に入った光線が到達する。この外表面７６は、到達した光線の一部をアーチ７１の部材内部を通ってアーチ７１の背面７２へと反射させる傾斜角に調整されている。尚、外表面７６は全反射させず、到達した光線の残りを外表面７６から外部へ出射する。
【００３１】
各アーチ７１の背面７２は、頭頂部２２ａの椀の内側表面に相当する。この背面７２には無数の刻み溝７３が形成されている。刻み溝７３は、背面７２のうち、頭頂部２２ａの中心領域Ｃの範囲の一部又は全部に形成される。刻み溝７３は、この範囲に形成された無数の溝である。頭頂部２２ａの中心領域Ｃは、入光部となる頭頂部２２ａの周端領域よりも内側、換言すると基端部７４よりも内側であり、スピーカ４の前面に相当する範囲である。頭頂部２２ａの中心に開口７１ａが形成される場合、当該開口７１ａの部分は除かれて形成される。
【００３２】
図６に示すように、スピーカ４の後方から光源３より頭頂部２２に向けて進行する光線の一部は、スピーカ４により遮蔽されることなく、スピーカ４の脇を通過し、アーチ７１の基端部７４に入射する。基端部７４では、湾状部７５が基端部７４への入射光を外表面７６に満遍なく拡げるように発散させる。すなわち、湾状部７５は、頭頂部２２ａへと入射した光線を外表面７６へ発散させる発散レンズの一例である。尚、基端部７４の足裏面７４ａが平らであっても外表面７６へ十分な光量を導ける場合には、湾状部７５は省いても良い。
【００３３】
基端部７４は、光源３からスピーカ４の脇を通って入射した光線の一部を刻み溝７３に向けて反射させる。詳細には、基端部７４の外表面７６は、一部の入射光を透過させてグローブ２２の外部へ放射し、一部の入射光を刻み溝７３へ向けて反射する。すなわち、基端部７４の外表面７６は、頭頂部２２ａの周端に入射する光線の一部を頭頂部２２ａの中心領域Ｃに形成される刻み溝７３へ屈曲させる光線屈曲部となる。
【００３４】
外表面７６は、刻み溝７３の形成範囲に満遍なく拡がるように、光線を反射させることが望ましい。従って、外表面７６は複数種類の角度を有する傾斜面が連続して繋がって形成されることが望ましい。また、屈折を利用する光線屈曲部であってもよく、基端部７４の足裏面７４ａに、入射光を刻み溝７３に向けて屈折させる傾斜面を形成するようにしてもよい。
【００３５】
刻み溝７３は基端部７４からの反射光をスピーカ４の前面で乱反射させ、スピーカ４の前面でグローブ２２の外部へ向けて拡散放射させる。すなわち、刻み溝７３は、スピーカ４の前面で光線を乱反射させる光線拡散部の一例である。各アーチ７１の背面７２を光線拡散部として機能させるためには、スピーカ４の前面で乱反射させればよく、刻み溝７３に限らず、ブラスト加工等によって粗面化してもよい。
【００３６】
この光源装置１では、スピーカ４の陰となる位置に光源３の光線が直達しない。しかし、スピーカ４の脇を通る光線の一部を、基端部７４の外表面７６でスピーカ４の前面に反射させ、スピーカ４の前面に刻み溝７３を形成しておき、スピーカ４の前面で反射光を乱反射により拡散放射させることで、頭頂部２２ａに導光板の機能を付与し、スピーカ４により陰となるグローブ２２の中心領域Ｃの輝度を向上させている。
【００３７】
以上、この光源装置１は、透光性材料により形成されるグローブ２２と、グローブ２２に収容される光源３及びスピーカ４を備える。スピーカ４は、グローブ２２の頭頂部２２ａ寄りに配置される。光源３は、スピーカ４よりも頭頂部２２ａから離れたスピーカ後方に配置される。この光源装置１において、グローブ２２の頭頂部２２ａは、光線屈曲部と光線拡散部を備えるようにした。
【００３８】
光線屈曲部は、グローブ２２の頭頂部２２ａの周端領域に形成され、スピーカ４の脇を通過して当該周縁領域へ入射した光線を、頭頂部２２ａの中心領域方向に屈曲させる。光線拡散部は、頭頂部２２ａの中心領域に形成され、光線屈曲部からの反射光を乱反射させて、スピーカ４の前面で拡散放射する。
【００３９】
これにより、グローブ２２の頭頂部２２ａが、周端の入射光によって中心領域Ｃの光を出す導光板となる。スピーカ４の陰となっていたスピーカ４の前面に当たる中心領域Ｃの輝度が向上し、頭頂部２２ａを斑無く光らせることができ、スピーカ４を有する光源装置１であっても、スピーカ４の品質と照明としての品質を両立させることができる。
【００４０】
また、グローブ２２の頭頂部２２ａは複数本のアーチ７１により形成されるようにした。アーチ７１は、頭頂部２２ａの中心から放射状に拡がり、頭頂部２２ａの周端領域に垂れ下がる。アーチ７１の背面７２のうち、頭頂部２２ａの中心領域に相当する位置には、光線拡散部となる刻み溝７３が形成される。アーチ７１の基端部７４の外表面７６のうち、頭頂部２２ａの周端領域に相当する位置には、外表面７６への入射光の一部を刻み溝７３へ向けて反射させる角度で傾斜面を形成し、光線屈曲部とした。
【００４１】
これにより、アーチ７１の間の開口７１ａは、スピーカ４の発する音波の指向性を拡げる放音孔となり、またアーチ７１はスピーカ４を横断する保護バーとなる。そのため、スピーカ４の前面に光線拡散部を設置することになるが、スピーカ４の音が篭るなどの弊害は生じにくく、寧ろ開口７１ａによるディフューザ効果を獲得できる。従って、この光源装置１では、高品質の照明機能とともに、高品質の放音機能を併せ持つことができる。
【００４２】
尚、アーチ７１により形成される頭頂部２２ａは、全てが湾曲した椀形状である必要はなく、基端部７４の外表面７６に刻み溝７３へ反射させるための傾斜を備えていれば、中心領域の外表面は平坦であってもよい。また、外表面７６は、刻み溝７３へ光線を反射できる傾斜面であれば、直線状であっても曲面を描いていても良い。
【００４３】
（第２の実施形態）
第２の実施形態に係る光源装置１について図７を参照しつつ詳細に説明する。グローブ２２の頭頂部２２ａの詳細形状については、第１の実施形態と同一につき、詳細な説明を省略する。
【００４４】
図７に示すように、この光源装置１は、光源３とスピーカ４を同一高さに並べて設置している。スピーカ４は頭頂部２２ａ寄りに設置され、光源３はスピーカ４の周囲にリング状に設けられている。光源３はスピーカ４の脇で発光し、多くは頭頂部２２ａの周端領域に入射する。すなわち、このスピーカ４と光源３の位置関係においても、スピーカ４の前面に直達する光線は少ない。
【００４５】
この光源装置１であっても、頭頂部２２ａの周端領域の光線の一部を基端部７４の外表面７６を反射面としてスピーカ４の前面に屈曲させ、スピーカ４の前面に設けられた刻み溝７３で乱反射により拡散放射させる。これにより、グローブ２２の頭頂部２２ａの中心領域の輝度が向上し、スピーカ４を有する光源装置１であっても、高品質の照明機能を備えることができる。
【００４６】
また、グローブ２２の頭頂部２２ａを第１の実施形態と同じように複数本のアーチ７１により形成することができ、開口７１ａによるディフューザ効果を獲得できる。従って、この光源装置１では、高品質の照明機能とともに、高品質の放音機能を併せ持つことができる。
【００４７】
（第３の実施形態）
第３の実施形態に係る導光板アタッチメントについて図８を参照しつつ詳細に説明する。光源装置１の第１及び第２の実施形態と同一構成及び同一機能については同一符号を付して詳細な説明を省略する。
【００４８】
第３の実施形態に係る光源装置１は、頭頂部２２ａ寄りのスピーカ４の後方に設置された光源３又はスピーカ４の周りに設置された光源３を有する。光線は光源３から頭頂部２２ａの周端領域に入射する。この光源装置１は、グローブ２２の頭頂部２２ａに周縁を除いた大きさを有する開口２２ｂが形成されている。開口２２ｂは、グローブ２２の頭頂部２２ａの直径よりも若干小径であり、スピーカ４を露出させている。
【００４９】
導光板アタッチメント７は、この光源装置１に開口２２ｂを覆うようにして頭頂部２２ａに着脱自在に取り付けられる。導光板アタッチメント７は、開口２２ｂの周りの周縁端面２２ｃに少なくとも届く径を有し、周縁端面２２ｃを台座として取り付けられる。この導光板アタッチメント７は、第１の実施形態と同一形状を有し、アーチ７１を放射状に配置して成る。アーチ７１は、基端部７４に発散レンズとなる湾状部７５と光線屈曲部となる外表面７６を配し、背面７２に光線拡散部となる刻み溝７３を配する。
【００５０】
グローブ２２の周端端面２２ｃには、アーチ７１の配置角度と等間隔で、基端部７４の幅と同一の凹部２２ｄが形成されている。導光板アタッチメント７は、この凹部２２ｄにアーチ７１の基端部７４を嵌め込んで取り付けられる。
【００５１】
このように、導光板アタッチメント７は、グローブ２２の頭頂部２２ａに光線屈曲部及び光線拡散部の無い光源装置１であっても、スピーカ４の前面で光線を拡散放射させることができ、グローブ２２の頭頂部２２の中心領域Ｃの輝度を向上させることができる。また、アーチ７１がスピーカ４を横断する保護バーとなり、アーチ７１間の開口７１ａがディフューザ機能を付与する。
【００５２】
尚、導光板アタッチメント７の取り付け態様は、これに限られず、各種方法が適用できる。例えば、導光板アタッチメント７に全アーチ７１を包絡する円筒カップを備えるようにする。円筒カップは、基端部７４の足裏面よりも垂れ下がって延び、直径はグローブ２２の直径よりも若干大きい。この円筒カップでグローブ２２の周面を包むようにして、導光板アタッチメント７を光源装置１の頭頂部２２ａに嵌め込むようにしてもよい。
【符号の説明】
【００５３】
１  光源装置
２１  筐体
２２  グローブ
２２ａ  頭頂部
２２ｂ  開口
２２ｃ  開口縁端面
２２ｄ  凹部
２３  口金
３  光源
４  スピーカ
５  制御基盤
５１  電源回路
５２  オーディオ制御部
５３  光源制御部
７  導光板アタッチメント
７１  アーチ
７１ａ  開口
７２  背面
７３  刻み溝
７４  基端部
７４ａ  足裏面
７５  湾状部
７６  外表面
【図１】
2017126541.tif 000003
【図２】
2017126541.tif 000004
【図３】
2017126541.tif 000005
【図４】
2017126541.tif 000006
【図５】
2017126541.tif 000007
【図６】
2017126541.tif 000008
【図７】
2017126541.tif 000009
【図８】
2017126541.tif 000010